(57)【要約】  本発明は、支持基板と、この支持基板に接続されているカバー層とを有するフレームレスソーラモジュールに関しており、支持基板とカバー層との間には層構造体が設けられており、この層構造体により、光起電性エネルギ形成のための直列接続される複数のソーラセルが形成される。ここでは上記の支持基板および／またはカバー層には、ソーラモジュールをモジュール支持部に取り付けるため、または少なくとも１つの別のソーラモジュールを接続するために複数の取付孔が設けられている。これらの取付孔はそれぞれ、光起電性アクティブ領域内のコーティングのないゾーンにある。本発明はさらに、このようなソーラモジュールを有する取付装置に関しており、この取付装置には、上記の取付孔を貫通する固定部材が設けられている。さらに本発明は、上記のようなソーラモジュールを作製する方法を対象としており、ここでは複数の取付孔が、上記の支持基板および／またはカバー層に形成される。本発明では、上記の取付孔を含むコーティングのないゾーンまたはこれらの取付孔を形成するために設けられるコーティングのないゾーンにおいて、上記の層構造体を除去する。
2014534796.tif 000002
【特許請求の範囲】
【請求項１】
支持基板（７）と、当該支持基板（７）に接続されているカバー層（８）と有するフレームレスソーラモジュール（２）、例えば薄膜ソーラモジュールにおいて、
前記支持基板（７）と前記カバー層（８）との間には層構造体（９）が設けられており、
該層構造体（９）により、光起電性エネルギ形成のための直列接続される複数のソーラセル（６）が形成され、
前記支持基板（７）および／または前記カバー層（８）には、前記ソーラモジュールをモジュール支持部（３）に取り付けるため、または少なくとも１つの別のソーラモジュールを接続するために複数の取付孔（１２）が設けられており、
前記取付孔（１２）はそれぞれ、光起電性アクティブ領域（１３）内のコーティングのないゾーン（１４）に形成されている、
ことを特徴とするフレームレスソーラモジュール（２）。
【請求項２】
請求項１に記載のフレームレスソーラモジュール（２）において、
複数の前記ソーラセル（６）は同じソーラセル面積を有する、
ことを特徴とするフレームレスソーラモジュール（２）。
【請求項３】
請求項１または２に記載のフレームレスソーラモジュール（２）において、
各取付孔（１２）において、前記取付孔（１２）を包囲しかつ前記層構造体（９）に対してシーリングするシーラント（１６）が支持基板（７）とカバー層（８）との間に配置されている、
ことを特徴とするフレームレスソーラモジュール（２）。
【請求項４】
請求項１に記載のフレームレスソーラモジュール（２）において、
前記支持基板（７）は、前記カバー層（８）から突き出ている縁部区画（２８）を有しているか、または前記カバー層（８）が、前記支持基板（７）から突き出ている縁部区画（２８）を有しており、
前記縁部区画（２８）に前記取付孔（１２）が形成されている、
ことを特徴とするフレームレスソーラモジュール（２）。
【請求項５】
請求項１から４までのいずれか１項に記載の少なくとも１つのフレームレスソーラモジュール（２）を有する取付装置（１）において、
前記ソーラモジュールは、前記取付孔（１２）を貫通する固定部材、例えばボルト（１７）によって前記モジュール支持部（３）に取り付けられている、
ことを特徴する取付装置（１）。
【請求項６】
請求項５に記載の取付装置（１）において、
前記取付孔（１２）において、弾力性のある可塑材料からなる１つずつの層（２１）が、前記固定部材（１７）と前記ソーラモジュール（２）との間、および／または、前記ソーラモジュール（２）と前記モジュール支持部（３）との間に配置されている、
ことを特徴とする取付装置（１）。
【請求項７】
請求項１から４までのいずれか１項に記載の、フレームレスソーラモジュール（２）を有する取付装置（１）において、
隣接するソーラモジュール（２）は接続部材（２３）によって互いに接続されており、
前記接続部材（２３）は、前記取付孔（１２）を貫通する固定部材、例えばボルト（１７）によって前記ソーラモジュール（２）に取り付けられている、
ことを特徴とする取付装置（１）。
【請求項８】
請求項７に記載の取付装置（１）において、
隣接するソーラモジュール（２）間の継ぎ目（２５）をシーリングすみ肉（２２）によってシーリングする、
ことを特徴とする取付装置（１）。
【請求項９】
支持基板（７）と、当該支持基板（７）に接続されているカバー層（８）とを有するフレームレスソーラモジュール、殊に薄膜ソーラモジュールを製造する方法において、
前記支持基板（７）と前記カバー層（８）との間には層構造体（９）が設けられており、
該層構造体（９）により、光起電性のエネルギ形成のための直列接続される複数のソーラモジュールが形成され、
前記支持基板（７）および／または前記カバー層（８）には、前記ソーラモジュールをモジュール支持部（３）に取り付けるため、または少なくとも１つの別のソーラモジュールを接続するために複数の取付孔（１２）を設け、
前記取付孔（１２）を含むかまたは該取付孔（１２）を形成するために設けられる複数のコーティングがないゾーン（１４）において前記層構造体（９）を除去する、
ことを特徴とする方法。
【請求項１０】
請求項９に記載の方法において、
前記支持基板（７）に前記層構造体（９）を載置する前に、前記支持基板（７）および／または前記カバー層（８）に前記取付孔（１２）を形成する、
ことを特徴とする方法。
【請求項１１】
請求項９または１０に記載の方法において、
各取付孔（１２）に当該取付孔（１２）を包囲しかつ前記層構造体（９）に対してシーリングするシーラント（１６）を支持基板（７）とカバー層（８）との間に配置する、
ことを特徴とする方法。
【請求項１２】
請求項９から１１までのいずれか１項に記載の方法において、
前記取付孔（１２）に１つずつのシーラント（１６’）を入れる、
ことを特徴とする方法。
【発明の詳細な説明】
【技術分野】
【０００１】
太陽光を電気エネルギに直接変換する光起電性層システムは以前から公知である。一般にこれは「ソーラセル」と称され、「薄膜ソーラセル」という用語は、わずか数マイクロメートルの厚さしか有しない層システムに関連しており、これらの層システムには、機械的に十分な安定度を得るために支持基板が必要である。公知の支持基板には、無機ガラス、プラスチック（ポリマ）または金属、殊に金属合金が含まれており、それぞれの層厚および特定の材料特性に依存して変形しないプレートまたは曲がりやすいシートとして構成することができる。
【０００２】
技術的な取り扱い易さおよび効率の点からは、アモルフォス、マイクロモルフまたは多結晶シリコン、テルル化カドミウム（CdTe）、ヒ化ガリウム（GaAs）または黄銅鉱化合物、殊に化学式Cu(In,Ga)(S,Se)2によって略称される銅−インジウム／ガリウム−ジスルフィド／ジセレニドからなる半導体層を有する薄膜ソーラセルが有利であることが判明している。殊に銅−インジウム−ジセレニド（CuInSe2ないしはＣＩＳ）は、太陽光のスペクトルに適合したバンドギャップに起因した殊に高い吸収係数によって抜きん出ている。
【０００３】
個々のソーラセルによっては一般的に１ボルト未満の電圧レベルしか得ることができない。技術的に利用可能な出力電圧を得るため、ソーラモジュールにおいて多数のソーラセルを互いに直接接続する。ここでは薄膜ソーラモジュールにより、すでに層作製中に、一体化された形態で複数のソーラセルを接続できるという特別な利点が得られる。特許文献においては薄膜ソーラモジュールはすでに何度も記載されている。ここでは、例として刊行物DE 43243813 C1およびEP 2200097 A1だけを挙げる。
【０００４】
いわゆる基板構成形態では、ソーラセルを製造するための種々異なる層は、支持基板上に直接被着され、この支持基板は、前面側の透明なカバー層と接着（積層されて）耐候安定性を有する結合体になる。
【０００５】
実践的にはソーラモジュールは、建物の屋根に取り付けられる（据え置き型）かまたは屋根の表面の一部を構成する（屋根材一体型）。さらにソーラモジュールをファサード部材または壁部材として使用すること、殊に自由設置型または支持なし型（支持体のない）ガラス構成形態も一般的である。
【０００６】
据え置き型取り付けではソーラモジュールは屋根に対して平行に、この屋根に固定されたモジュール支持部に取り付けられ、これらのソーラモジュールは、例えばモジュールクランプによって上記のモジュール支持部に固定される。これらのソーラモジュールは、このために、一般的にはアルミニウム製のモジュールフレームを有しており、このモジュールフレームに上記のソーラモジュールを固定することができる。上記のモジュール支持部は一般的に複数のアルミニウムレールからなる取付フレームを有しており、これらのアルミニウムレールは、例えば留め金具によって瓦屋根に、またねじによって波形板屋根または台形金属板屋根に固定される。屋根据え置き型で取り付ける際には、屋根の外装は完全にそのままになるため、ソーラモジュールは、屋根材一体型取付とは異なり、屋根の機能を果たす必要はない。屋根材一体型で取り付ける際にもモジュール支持部が使用され、このモジュール支持部は、屋根の下部構造に固定される。不透過性を保証するため、ソーラモジュール間の継ぎ目はシーリングしなければならない。自由設置型では架台を設け、これにソーラモジュールを固定する。支持なし型の構成形態では複数のソーラモジュールが互いにモジュールフレームに接続される。
【０００７】
最近ではフレームレスソーラモジュールが使用されることが多くなっており、このフレームレスソーラモジュールにより、モジュール重量を少なくし、または製造コストを下げることが可能である。取り付けのためにソーラモジュールの背面にスチールまたはアルミニウム製の補強筋交いを取り付ける。この補強筋交いは一般的に上記の支持基板に接着される。上記の補強筋交いを介して上記のフレームレスソーラモジュールをモジュール支持部に固定することができる。この取り付け方式には比較的コストがかかり、接着によって疲労し易い。さらにこの取り付け方式により、支持なし型の構成形態に対して美的に訴える解決手段は可能にはならないのである。
【０００８】
これに対して本発明の課題は、フレームレスソーラモジュールの従来の取り付けを有利に発展させて、取り付けを簡単にしかつ取り付けコストを低減することにある。殊にフレームレスソーラモジュールを、支持なし型の構成形態においても使用できるようにする。上記の課題および別の課題は、本発明の提案により、特許請求の範囲に記載した特徴的構成を有するソーラモジュール、取付装置ならびにフレームレスソーラモジュールを製造する方法によって解決される。本発明の有利な実施形態は、従属請求項の特徴的構成によって得られる。
【０００９】
本発明では、支持基板と、この支持基板に接続されているカバー層とを有するフレームレスソーラモジュールが示される。この支持基盤とカバー層との間には層構造体が設けられており、この層構造体により、光起電性エネルギ形成のための直列接続される複数のソーラセルが構成される。上記の支持基板およびカバー層は、例えば有機ガラス、ポリマまたは金属合金製であり、また層厚および材料特性に依存して有利には変形しないプレートとして形成される。
【００１０】
上記のソーラモジュールは有利には、一体化された形態において直列接続された薄膜ソーラセルを有する薄膜ソーラモジュールである。上記の層構造体には、背面電極層と、前面電極層と、半導体層とが含まれている。この半導体層は有利には黄銅鉱化合物から構成され、ここでこれは、例えば銅−インジウム−ジセレニド（CuInSe2ないしはＣＩＳ）または類似の化合物のような銅−インジウム／ガリウム−ジスルフィド／ジセレニド（Cu(InGa)(SSE)2）のグループからなるＩ−ＩＩＩ−ＶＩ半導体とすることが可能である。
【００１１】
ここで重要であるのは、上記の支持基板および／またはカバー層にはそれぞれ、モジュール支持部にソーラモジュールを取り付けるため、または少なくとも１つの別のソーラモジュールと接続するために複数の取付孔が設けられていることである。これにより、本発明による上記のソーラモジュールは殊に有利にも、技術的に煩雑でなく、多様に変更可能であり、かつ、コスト的に有利なソーラモジュールのモジュール留め具への取り付けが可能になり、また支持なし型の構成形態においてソーラモジュールの美的に訴える接続が可能である。殊に上記のソーラモジュールは、別の支持部材がなくても小さな継ぎ目の伸びで並べて取り付けることができる。
【００１２】
ここでは上記の取付孔はそれぞれ、ソーラモジュールの光起電性アクティブ領域内のコーティングのないゾーンに形成される。この手段により、ソーラモジュールの信頼性が高くかつ確実な取り付けのために上記の取付孔を所期のように位置決めすることができ、この位置決めは、フレーム付きのソーラモジュールの従来の固定手法とは異なり、モジュールフレームに制限されない。さらにここでは、取付孔を構成するために、比較的幅が広くかつコーティングのない、ソーラモジュールの縁部領域を設ける必要がないため、ソーラモジュールを作製するために利用可能な支持基板の面積を効率的に利用することができる。
【００１３】
本発明によるソーラモジュールでは、光起電性アクティブ領域にはコーティングのない複数のゾーンが設けられており、これらのゾーンに複数の取付孔が配置されている。一般的にはこの光起電性アクティブ領域は矩形に形成される。これらのコーティングのないゾーンは、上記の光起電性アクティブ領域の複数の凹部ないしは切り欠き部として形成される。そのかぎりでは上記のコーティングのないゾーンにより、ソーラモジュールの光起電性アクティブ領域は小さくなる。
【００１４】
上記のソーラモジュールは、複数の第１のソーラセルと、（これらの第１のソーラセルとは異なる）複数の第２のソーラセルを有しており、第２のソーラセルはそれぞれ、第１のソーラセルの形状とは異なる形状を有する。第１のソーラセルは、上記のコーティングのないゾーンによって損なわれることはなく、これらの第１のソーラセルはそれぞれ、コーティングのないゾーンが存在しない、層構造体の１つの区画によって作製される。一般的に上記のソーラモジュールは、互いに同じ（例えばモジュール面において互いに同じ形状を有する、殊に矩形を有する）複数の第１のソーラセルを有する。
【００１５】
さらに上記のソーラモジュールは、上記のコーティングのないゾーンに起因して、形状が第１のソーラセルの形状とは異なる複数の第２のソーラセルを有する。これらの第２のソーラセルはそれぞれ、少なくとも１つのコーティングのないゾーンが存在する、上記の層構造体の１つの区画から作製される。したがって各第２のソーラセルは、第１のソーラセルとは異なる形状を有するのである。第２のソーラセル同士は、互いに同じ形状を有し得る。
【００１６】
上記のコーティングのないゾーンとは例えばそれぞれ、層が除去されているゾーン、すなわち、ソーラセルを形成する上記の層構造体が除去されているゾーンのことである。しかしながら上記のコーティングのないゾーンに、層構造体が被着されないようにすることも考えられ、これは、例えば上記の層構造体を被着する際にマスキングによって行うことも可能である。
【００１７】
ここで殊に有利であるのは、ソーラモジュールの光起電性アクティブ領域内にコーティングのないゾーンが設けられていても、ソーラモジュールの互いに直列接続されるソーラセルが、互いに等しいないしは同じソーラセル面積を有する場合である。この場合に各ソーラセルは、このソーラモジュールのそれぞれ別のソーラセルのソーラセル面積に等しいソーラセルセル面積を有する。第１のソーラセルは、一般的には互いに同じ形状であることにより、いずれにせよ同じソーラセル面積を有する。複数の第２のソーラセルは、互いに同じ形状を有し得るため、それらのソーラセル面積も互いに同じになり得る。いずれにせよ第２のソーラセルはそれぞれ、第１のソーラセルの形状と異なる形状を有しており、この構成形態において上記のソーラモジュールのすべてのソーラセル（第１および第２のソーラセル）は、互いに同じソーラセル面積を有する。したがって各第２のソーラセルは、第１のソーラセルのソーラセル面積に等しいソーラセル面積を有するのである。例えば、矩形の第２のソーラセルはこのためにそれぞれ、矩形の第１のソーラセルよりも大きな幅（短い方のサイズ）を有し、第２のソーラセルの長さ（長い方向のサイズ）は、上記のコーティングのないゾーンに起因して、第１のソーラセルの長さよりも短いのである。この手段によって達成することができるのは、上記の複数のソーラセルは、それらの特性曲線の少なくとも近似的に同じ動作点で動作させることができるため、コーティングのないゾーンに該当するソーラセルの効率が、他のソーラセルに対して低下してしまうことはないのである。
【００１８】
有利には各取付孔において、この取付孔を包囲しかつ上記の層構造体に対してシーリングするシーラントを支持基板とカバー層との間に配置する。これにより、上記の光起電性アクティブ領域に湿気および汚れが侵入することを阻止することできる。
【００１９】
本発明によるフレームレスソーラモジュールの別の有利な実施形態において、上記の支持基板、または変形しないカバープレートの形態で形成されたカバー層は、張り出し式の縁部区画を有しており、この縁部区画に上記の取付孔が形成される。したがって上記の支持基板は、上記のカバー層に対して張り出している張り出し式の縁部区画を有するのである。択一的には上記のカバー層が、上記の支持基板に対して張り出している張り出し式の縁部区画を有する。
【００２０】
殊に有利には、上記の縁部区画は、前面側ないしは光入射側のカバー層によって構成され、これにより、上記のソーラセルの加工を変更しないままにし、いわゆるバックエンドにおいてのみ、上記の取付孔が設けられているカバー層を有するソーラセルによって上記の支持基板を積層する。さらに上記のソーラセルの光起電性アクティブ面は影響を受けない。
【００２１】
さらに本発明は、上で説明した少なくとも１つのフレームレスソーラモジュールを有する取付装置を対象としており、この取付装置において、上記のソーラモジュールは、上記の取付孔を貫通する固定部材、例えばボルトによって上記のモジュール支持部に取り付けられる。有利には上記の取付孔における機械的な負荷を低減するため、例えばゴムのように弾力性のある可塑材料からなる１つずつの層が、上記の固定部材と、上記のソーラモジュールとの間、および／または、上記のソーラモジュールと上記のモジュール支持部との間に配置される。
【００２２】
さらに本発明は、上で説明したフレームレスソーラモジュールを有する取付装置を対象としており、ここでは隣接するソーラモジュールは、上記の取付孔を貫通する、例えばボルトのような固定部材によってソーラモジュールに取り付けられる接続部材によって互いに接続される。有利には隣接するソーラモジュール間の継ぎ目はパッキング部材によってシーリングされる。
【００２３】
さらに本発明は、支持基板と、この支持基板に接続されたカバー層を有する、例えば薄膜ソーラモジュールのようなフレームレスソーラモジュールを作製する方法を対象としており、上記の支持基板と、カバー層との間には層構造体が設けられており、この層構造体により、光起電性のエネルギを形成するため、直列接続される複数のソーラセルが構成される。本発明による方法では、上記の支持基板および／またはカバー層には、モジュール支持部にソーラモジュールを取り付けるため、または少なくとも１つの別のソーラモジュールを接続するため、複数の取付孔が設けられる。方法の技術的観点において有利であり得るのは、上記の支持基板上に上記の層構造体を被着する前に、上記の支持基板および／または上記の層構造体に上記の取付孔を形成する場合である。本発明では上記の層構造体は、上記の取付孔を含むコーティングのないゾーンまたはこれらの取付孔を形成するために設けられたコーティングのないゾーンにおいて除去され、これによって同様に方法の技術的利点を得ることができる。有利には各取付孔において上記の取付孔を包囲して上記の層構造体に向かって密閉するシーラントを支持基板とカバー層との間に配置する。さらに上記の取付孔に１つずつのシーラントをいれると、有利になり得る。
【図面の簡単な説明】
【００２４】
【図１】ソーラモジュールを据え置き型ないしは屋根材一体型で取り付ける本発明による取付装置の概略平面図である。
【図２】図１のソーラモジュールの取付孔を説明する詳細図である。
【図３】図１のソーラモジュールの取り付けを説明する、取付孔領域における概略断面図である。
【図４】図１のソーラモジュールにおいて、同じソーラセル面積を有する複数のソーラセルを説明する概略平面図である。
【図５】支持なし型構成形態で構成された本発明による取付装置の平面図である。
【図６】図５のソーラモジュールの取り付けを説明する、取付孔領域における概略断面図である。
【図７】本発明による別の取付装置を示す概略平面図および断面図である。
【００２５】
添付の図を参照し、複数の実施例に基づき、本発明を詳しく説明する。
【００２６】
図面の詳細な説明
まず図１，２Ａ〜２Ｃおよび３Ａ〜３Ｂを考察する。図１には全体として参照符号１で示された取付装置１の構造が示されており、ここでは、例えば薄膜ソーラモジュールである複数のソーラモジュール２がモジュール支持部３に取り付けられている。図１では４つのソーラモジュールが示されているが、当然のことながら、この取付装置１は、より多くの個数またはより少ない個数のソーラモジュール２を含むこともできる。ソーラモジュール２は慣用のようにそれぞれ矩形の面積体として構成されている。
【００２７】
モジュール支持部３は、ソーラモジュール２の屋根据え付け型または屋根材一体型取り付けに使用され、例えばアルミニウムから製造される複数の平行な支持レール４を有する。支持レール４は、例えば、ねじまたはスチール留め具によって（据え付け型の場合）図示しない、建物の屋根にまたは（屋根材一体型の場合）屋根構成体に固定される。各支持レール４は、複数のモジュール留め具５を有しており、これらのモジュール留め具５は、支持レール４に対して垂直に、レールの延在方向に沿って分散して配置されており、かつ、ソーラモジュール２の取り付けに使用される。
【００２８】
図２Ａ〜２Ｃからわかるように、ソーラモジュール２にはそれぞれ、一体化された形態において互いに直列接続されかつ矩形のソーラセル面を有する複数のソーラセル６が含まれている。各ソーラモジュール２は一般的に複数の（例えば１００個の）ソーラセル６を有する。
【００２９】
図３Ａ〜３Ｂに示されているようにソーラモジュール２はここでは、例えば、いわゆる基板構成形態に基づいており、また電気絶縁性の背面側支持基板７と、前面ないしは光入射側のカバープレート８とを有し、上記の背面側支持基板は、その上に載置されたソーラセル６を構成するための層構造体９を有しており、上記のカバープレートは支持基板７に接続されている。構造化された層構造体９を有する変形しない支持基板７は、例えばポリビニルブチラール（ＰＶＢ）またはエチレンビニルアセテート（ＥＶＡ）を含む接着層１０によって変形しないカバープレート８と接着される（「積層される」）。
【００３０】
詳しく図示していない層構造体９には、支持基板７の前面側に配置された、例えばモリブデンである光不透過性金属からなる背面電極層と、この背面電極層上にデポジットされた光起電性アクティブ吸収層と、バッファ層と、このバッファ層上にデポジットされた前面電極層とが含まれており、上記の光起電性アクティブ吸収層には、例えば、殊にナトリウム（Na）がドーピングされたCu(In,Ga)(S,Se)2のような銅−インジウム−ジセレニド（CuInSe2）のグループの化合物であるｐ導電性黄銅鉱半導体が含まれており、上記の前面電極層は、上記の半導体が感応するスペクトル領域のビームに対して透明であり、かつ、例えばドーピングされた金属酸化物、例えばｎ導電性の、アルミニウムがドーピングされた亜鉛酸化物をベースとしている。層構造体９は、それ自体公知の方法によって複数のソーラセル６に分割され、この分割は、レーザ書き込みなどの適当な構造化テクノロジを使用して切り込むことによって行われる。直列接続されるソーラセル６を有するこのようなソーラモジュール２の基本構造は当業者にそれ自体公知であるため、ここではこれについて詳しく立ち入らない。
【００３１】
変形しない支持基板７はここでは、例えば、光透過度が比較的低いガラスから構成され、十分な強度ならびに実行されるプロセスステップに対して不活性な特性を有する別の同様の絶縁材料も使用することができる。変形しないカバープレート８には、例えば、わずかに鉄を含有する硬化エクストラホワイトガラスが含まれる。
【００３２】
ソーラモジュール２のコーナ領域１１にはそれぞれ打ち抜きによって形成される取付孔１２が設けられており、これらの取付孔１２は、ソーラセル６の光起電性アクティブ領域１３内に形成されている。取付孔１２の周りには、１つずつのコーティングのないゾーン１４（層構造体９の凹部ないしは切り欠き部）が形成されており、したがってこれらのゾーンには層構造体９が設けられていない。図２Ａおよび２Ｂに示したように、コーティングのないゾーン１４は、例えば、矩形または丸形の形状を有し得る。図２Ｃに示したように有利には、例えばブチルゴムからなるシーラント１６を、取付孔１２の周りの支持基板７とカバープレート８との間に配置し、これによって取付孔１２を取り囲む端封を行うことができる。
【００３３】
ソーラモジュール２の有利な作製方法において、すでにあらかじめ空けられた取付孔１２’を有する支持基板７に層構造体９を被着し、引き続いてすでにあらかじめ空けられた取付孔１２’’を有するカバープレート８によって支持基板７を積層する。この際には支持基板７の取付孔１２’は、カバープレート８の取付孔１２’に揃えられる。上記の積層の前にはコーティングのないゾーン１４における層構造体９は、例えば、摩擦車によって機械的研磨的に除去される。この層の除去は有利には、ソーラモジュール２の縁部ゾーン１５のエッジにおける層の除去と一緒に行われる。さらにシーラント１６が取付孔１２の周りに配置される。このシーラントは有利には、上記の積層の際に溶融して凝固後に取付孔１２の端封を形成する材料から構成される。
【００３４】
択一的な作製方法において取付孔１２は、例えばレーザ穿孔により、上記の積層されたソーラモジュール２に後で形成される。有利には上記のコーティングのないゾーン１４は、上記の積層の前に層が除去され、取付孔１２が形成されるべき領域にシーラント１６が配置される。
【００３５】
上記のコーティングのないゾーン１４が、後で層を除去するのではなく、支持基板７に層構造体９を被着する間にマスキングによって形成されるようにすることも考えられる。
【００３６】
図３Ａ〜３Ｂにはねじ接続を用いてモジュール留め具５にソーラモジュール２を取り付ける様子が示されている。モジュール留め具５にはこのために留め具孔１８が設けられており、この留め具孔は、取付孔１２に揃えられて配置される。取り付けのため、取付孔１２および留め具孔１８を貫通するボルトが所定の位置に配置され、このボルトとカウンタナット１９とがねじ留めされる。ボルト１７はボルト頭部２０がソーラモジュール２の前面に当接しており、ソーラモジュール２はその背面がモジュール留め具５に載置されている。例えばゴムのような弾力性のある材料からなり、かつ、ボルト頭部２０とソーラモジュール２との間、ならびにソーラモジュール２とモジュール留め具５との間にある中間層２１により、局所的に機械的な応力が大きくなり過ぎることを緩和することができる。図３Ｂに示したようにボルト１７を挿入する前に、取付孔１２を付加的にシーリングするためにシーラント１６’を取付孔１２に入れることができる。このようなケースでは場合によっては支持基板７とカバープレート８との間のシーラント１６によって上記の端封を省略することができる。
【００３７】
図１に示したように、取付装置１において複数のソーラモジュール２は直交する２つの空間方向に沿って並んで配置され、隣接するソーラモジュール２間には１つずつ継ぎ目２５が残っている。これらの継ぎ目２５には、例えばゴム製のシーリングすみ肉２２が１つずつ入れられ、このシーリングすみ肉により、例えば、屋根材一体型設置の際に取付装置１の不透過性を保証することができる。シーリングすみ肉２２は、例えば、ファサード構成部材とすることも可能である。
【００３８】
ここで図４Ａを考察する。上記の説明によってわかるように、ソーラモジュール２ではソーラセル６の光起電性アクティブ領域１３に取付孔１２が形成される。この結果、ソーラセル６は、（ｘ方向に沿った）幅が同じ場合にソーラセル面積が互いに異なる。したがってコーティングのないゾーン１４により、例えば４つのソーラセル６’からなるそれぞれの（この明細書の冒頭で「第２のソーラセル」と称した）ソーラセル面積は、コーティングのないゾーン１４に隣接するそれぞれの（この明細書の冒頭で「第１のソーラセル」と称した）ソーラセル６に比べて小さくなっている。複数の（第１の）ソーラセル６は、互いに同じ形状およびソーラセル面積を有する。同様に複数の（第２の）ソーラセル６’も互いに同じ形状およびソーラセル面積を有する。しかしながら（第２の）ソーラセル６’の形状およびソーラセル面積と、（第１の）ソーラセル６の形状およびソーラセル面積とは異なる。
【００３９】
このことにより、不利なことにも、光に曝された際に（第２の）ソーラセル６’が、隣接する（第１の）ソーラセル６よりも低い電圧しか供給せず、特性曲線の異なる動作点において動作することになるため、ソーラセル６’の効率が低下してしまう可能性がある。これは回避するために有利であるのは、ソーラモジュール２においてすべてのソーラセル６，６’が互いに同じソーラセル面積を有するようにする場合である。図４Ｂに示したように、これは、コーティングのないゾーン１４に関連する（第２の）ソーラセル６’が（第１の）ソーラセル６よりも（ｙ方向に）短い長さを有するが、（ｘ方向に）長い幅を有することによって達成することができる。したがってすべてのソーラセル６は、特性曲線の同じ動作点において、殊に最適な動作点において動作できるのである。
【００４０】
図５，６Ａおよび６Ｂには、１つの概略平面図および複数の断面図により、取付孔１２の領域における本発明の別の取付装置１の構造が示されている。この取付装置は、支持なし型構成として形成されている。不要な繰り返しを避けるため、上記の取付装置との相違だけを説明する。その他の点について上で述べた説明を参照されたい。
【００４１】
支持なし型の構成形態においてソーラモジュール２は、小さい継ぎ目２５を伴って横に並んで配置されている。隣接するソーラモジュール２はそれぞれその上側面および下側面が、変形しない接続継ぎ目板２３によって互いに固定して接続されており、接続継ぎ目板２３はそれぞれ、隣接するソーラモジュール２の継ぎ目２５を架橋している。ソーラモジュール２への接続継ぎ目板２３の固定はねじ留めによって行われ、接続継ぎ目板２３にはこのために継ぎ目板孔２６が設けられており、これらの継ぎ目板孔は、取付孔１２に揃えられて配置されている。各取付孔１２および隣接する２つの継ぎ目板孔２６には、ボルト１７が貫通しており、このボルトはカウンタナット１９とねじ留めされる（図６Ａ〜６Ｂ参照）。図６Ａに示したように、例えばゴムのような弾力性のある材料からなる中間層２１がそれぞれ、ボルト頭部２０とソーラモジュール２との間、ならびに、ソーラモジュール２とモジュール留め具５との間に設けられている。図６Ｂに示したように、２つの中間層２１は、取付孔１２内で互いに接続することが可能であり、かつ、取付孔１２を内張する関連する構造としてパッキング部材２７の形態で形成することができる。パッキング部材２７により、有利にも取付孔１２の端封を実現することできるため、場合によっては、取付孔１２の領域における、支持基板７とパッキングプレート８との間のシーラント１６による端封を省略することができる。接続継ぎ目板２３により、簡単かつコスト的に有利に、美的に訴えるソーラモジュール２からなる支持なし型構造を形成することができる。複数の継ぎ目２５にはそれぞれシーリングすみ肉２２が配置され、これによって取付装置１の不透過性が保証される。
【００４２】
図７Ａ〜７Ｂには、取付孔１２の領域における平面図および断面図により、本発明による別の取付装置１の構造が示されており、この取付装置は、据え置きおよび屋根材一体型取り付けにも、支持なし型構成形態にも同様に好適である。不要な繰り返しを避けるため、図１，２Ａ〜２Ｂ，３Ａ〜３Ｂおよび４Ａ〜４Ｂによって説明した取付装置１との相違だけを説明する。その他の点については上で述べた説明を参照されたい。
【００４３】
これらの図によれば、ソーラモジュール２は、カバープレート８を有しており、このカバープレート８は、支持基板から張り出して周囲を取り囲む縁部区画２４を有しており、したがって支持基板７よりも大きい。取付孔１２は、カバープレート８の張り出している縁部区画２４だけに分散して形成されている。このようにすることの利点は、ソーラセル６の加工を従来の方法で行うことできることであり、この際にはあらかじめ空けた取付孔１２を有するカバープレート８を設けて支持基板７と積層するだけでよい。同様に、積層したソーラモジュール２の張り出した縁部区画２４に後で取付孔１２を追加することも可能である。ソーラセル６の領域における層の除去は不要であるため、光起電性アクティブ面が失われることはなく、製造プロセスも簡単になる。図７Ｂに示したように、モジュール留め具５とのねじ留めまたは択一的な接続継ぎ目板２３とのねじ留めは、すでに上で説明した仕方で行うことができる。択一的には支持基板７の張り出している縁部区画に取付孔１２を形成することも考えられる。
【００４４】
上の説明からわかるように、本発明によってフレームレスソーラモジュール、殊に薄膜ソーラモジュールが得られ、このソーラモジュールにより、簡単かつ信頼性が高く、さらにコスト的に有利なモジュール支持部への取り付けが可能になり、または支持ないし型構成形態における別のソーラモジュールとの接続が可能になる。殊に据え置き型または屋根材一体型取り付けに対し、または支持なし型構成用に同じソーラモジュールを選択的に使用することができる。さらに簡単かつコスト的に有利にソーラモジュールの交換が可能になる。盗難に対する防御は、例えば、根角ボルトを使用することよって、または例えば溶接によってボルトとカウンタナットとの解除不能な接続を作製することよって容易に達成することができる。上記の取付孔をソーラモジュールの光起電性アクティブ領域に設ける場合、ソーラセル面積が使用されるため、モジュール出力は必然的に、従来の背面取付技術による相応のソーラモジュールの場合よりもやや小さくなる。モジュールサイズに応じて、約６６×１５４cmの面積を有するソーラモジュールにおいて、それぞれ約４×４cmの面積を有する４つのコーティングのないゾーンによる出力損失は、約１〜２％になる。取付孔がカバープレート（ないしは支持基板）の張り出した縁部区画に形成されるソーラモジュールでは出力損失は発生しない。しかしながらこの場合には相応に大きなカバープレート（ないしは支持基板）を設けなければならない。
【００４５】
本発明は、支持基板とこれに接続されたカバー層とを有するフレームレスソーラモジュールに、殊に薄膜ソーラモジュールに関しており、上記の支持基板とカバー層との間には層構造体が設けられており、この層構造体により、光起電性のエネルギを形成するための直列接続された複数のソーラセルが形成される。上記の支持基板および／またはカバー層には、ソーラモジュールをモジュール支持部に取り付けるためまたは少なくとも１つの別のソーラモジュールを接続するための複数の取付孔が設けられている。
【００４６】
本発明はさらに、支持基板とこれに接続されたカバー層とを有するフレームレスソーラモジュール、殊に薄膜ソーラモジュールを製造する方法に関しており、上記の支持基板とカバー層との間には層構造体が設けられており、この層構造体により、光起電性のエネルギを形成するための直列接続される複数のソーラセルが形成される。ここでは支持基板および／またはカバー層に、ソーラモジュールをモジュール支持部に取り付けるため、または少なくとも１つの別のソーラモジュールを接続するための複数の取付孔が設けられている。
【符号の説明】
【００４７】
１  取付装置、  ２  ソーラモジュール、  ３  モジュール支持部、  ４  支持レール、  ５  モジュール留め具、  ６，６’  ソーラセル、  ７  支持基板、  ８  カバープレート、  ９  層構造体、  １０  接着層、  １１  コーナ領域、  １２，１２’，１２’’  取付孔、  １３  アクティブ領域、  １４  コーティングのないゾーン、  １５  縁部ゾーン、  １６，１６’  シーラント、  １７  ボルト、  １８  留め具孔、  １９  カウンタナット、  ２０  ボルト頭部、  ２１  中間層、  ２２  シーリングすみ肉、  ２３  接続継ぎ目板、  ２４  縁部区画、  ２５  継ぎ目、  ２６  継ぎ目板孔、  ２７  パッキング部材
【図１】
2014534796.tif 000003
【図２Ａ】
2014534796.tif 000004
【図２Ｂ】
2014534796.tif 000005
【図２Ｃ】
2014534796.tif 000006
【図３Ａ】
2014534796.tif 000007
【図３Ｂ】
2014534796.tif 000008
【図４Ａ−４Ｂ】
2014534796.tif 000009
【図５】
2014534796.tif 000010
【図６Ａ】
2014534796.tif 000011
【図６Ｂ】
2014534796.tif 000012
【図７Ａ】
2014534796.tif 000013
【図７Ｂ】
2014534796.tif 000014
【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
支持基板（７）と、当該支持基板（７）に接続されているカバー層（８）と有するフレームレスソーラモジュール（２）において、
前記支持基板（７）と前記カバー層（８）との間には層構造体（９）が設けられており、
該層構造体（９）により、光起電性エネルギ形成のための直列接続される複数のソーラセル（６）が形成され、
前記支持基板（７）および／または前記カバー層（８）には、前記ソーラモジュール（２）をモジュール支持部（３）に取り付けるため、または少なくとも１つの別のソーラモジュール（２）を接続するために複数の取付孔（１２）が設けられており、
前記取付孔（１２）はそれぞれ、光起電性アクティブ領域（１３）内のコーティングのないゾーン（１４）に形成されている、
ことを特徴とするフレームレスソーラモジュール（２）。
【請求項２】
請求項１に記載のフレームレスソーラモジュール（２）において、
複数の前記ソーラセル（６）は同じソーラセル面積を有する、
ことを特徴とするフレームレスソーラモジュール（２）。
【請求項３】
請求項１または２に記載のフレームレスソーラモジュール（２）において、
各取付孔（１２）において、前記取付孔（１２）を包囲しかつ前記層構造体（９）に対してシーリングするシーラント（１６）が前記支持基板（７）および前記カバー層（８）の断面に配置されている、
ことを特徴とするフレームレスソーラモジュール（２）。
【請求項４】
請求項１に記載のフレームレスソーラモジュール（２）において、
前記支持基板（７）は、前記カバー層（８）から突き出ている縁部区画（２８）を有しているか、または前記カバー層（８）が、前記支持基板（７）から突き出ている縁部区画（２８）を有しており、
前記縁部区画（２８）に前記取付孔（１２）が形成されている、
ことを特徴とするフレームレスソーラモジュール（２）。
【請求項５】
請求項１から４までのいずれか１項に記載のフレームレスソーラモジュール（２）において、
前記フレームレスソーラモジュール（２）は、薄膜ソーラモジュールである、
ことを特徴とするフレームレスソーラモジュール（２）。
【請求項６】
請求項１から５までのいずれか１項に記載の少なくとも１つのフレームレスソーラモジュール（２）を有する取付装置（１）において、
前記ソーラモジュールは、前記取付孔（１２）を貫通する固定部材（１７）によって前記モジュール支持部（３）に取り付けられている、
ことを特徴する取付装置（１）。
【請求項７】
請求項６に記載の取付装置（１）において、
前記取付孔（１２）において、弾力性のある可塑材料からなる１つずつの層（２１）が、前記固定部材（１７）と前記ソーラモジュール（２）との間、および／または、前記ソーラモジュール（２）と前記モジュール支持部（３）との間に配置されている、
ことを特徴とする取付装置（１）。
【請求項８】
請求項１から５までのいずれか１項に記載の、フレームレスソーラモジュール（２）を有する取付装置（１）において、
隣接するソーラモジュール（２）は接続部材（２３）によって互いに接続されており、
前記接続部材（２３）は、前記取付孔（１２）を貫通する固定部材（１７）によって前記ソーラモジュール（２）に取り付けられている、
ことを特徴とする取付装置（１）。
【請求項９】
請求項８に記載の取付装置（１）において、
隣接するソーラモジュール（２）間の継ぎ目（２５）をシーリングすみ肉（２２）によってシーリングする、
ことを特徴とする取付装置（１）。
【請求項１０】
請求項６から９までのいずれか１項に記載の取付装置（１）において、
前記取付孔（１２）を貫通する前記固定部材（１７）はボルトである、
ことを特徴とする取付装置（１）。
【請求項１１】
支持基板（７）と、当該支持基板（７）に接続されているカバー層（８）とを有するフレームレスソーラモジュール（２）を製造する方法において、
前記支持基板（７）と前記カバー層（８）との間には層構造体（９）が設けられており、
該層構造体（９）により、光起電性のエネルギ形成のための直列接続される複数のソーラセル（６）が形成され、
前記支持基板（７）および／または前記カバー層（８）には、前記ソーラモジュール（２）をモジュール支持部（３）に取り付けるため、または少なくとも１つの別のソーラモジュール（２）を接続するために複数の取付孔（１２）を設け、
前記取付孔（１２）を含むかまたは該取付孔（１２）を形成するために設けられる複数のコーティングがないゾーン（１４）において前記層構造体（９）を除去する、
ことを特徴とする方法。
【請求項１２】
請求項１１に記載の方法において、
前記支持基板（７）に前記層構造体（９）を載置する前に、前記支持基板（７）および／または前記カバー層（８）に前記取付孔（１２）を形成する、
ことを特徴とする方法。
【請求項１３】
請求項１１または１２に記載の方法において、
各取付孔（１２）に当該取付孔（１２）を包囲しかつ前記層構造体（９）に対してシーリングするシーラント（１６）を前記支持基板（７）および前記カバー層（８）の断面に配置する、
ことを特徴とする方法。
【請求項１４】
請求項１１から１３までのいずれか１項に記載の方法において、
前記取付孔（１２）に１つずつのシーラント（１６’）を入れる、
ことを特徴とする方法。
【請求項１５】
請求項１１から１４までのいずれか１項に記載のフレームレスソーラモジュール（２）において、
前記フレームレスソーラモジュール（２）は、薄膜ソーラモジュールである、
ことを特徴とする方法。
【国際調査報告】
2014534796.tif 000015
2014534796.tif 000016
2014534796.tif 000017
2014534796.tif 000018
2014534796.tif 000019
2014534796.tif 000020